(57)【特許請求の範囲】
【請求項１】
基板の上に、第１電極、発光層、および第２電極が積層されて、基板側から光が放射される発光パネル式照明器具であって、
手操作されることにより操作信号を乗せた赤外線を放射する手元操作手段と、この手元操作手段から放射された赤外線を受信する赤外線受信部と、この赤外線受信部が受信した赤外線の操作信号に応じて第１電極と第２電極との間の通電を制御する制御部とを備え、
第２電極は、透光性のある材料で構成されていて、第２電極の発光層と反対側には、前記発光層から第２電極側に放射される可視光線を反射する反射材が配設されており、
前記反射材は、少なくとも一部が赤外線を透過可能となるように構成されていて、この反射材の赤外線を透過可能な部分の上に前記赤外線受信部が設けられていることを特徴とする発光パネル式照明器具。
【請求項２】
前記反射材は、全体が赤外線を透過可能となるように構成されていることを特徴とする請求項１に記載の発光パネル式照明器具。
【請求項３】
前記反射材は、貫通穴が形成された反射板と、この反射板の貫通穴内に配設される反射フィルタとを有していて、少なくともこの反射フィルタが赤外線を透過可能に構成されており、この反射フィルタの上に前記赤外線受信部が設けられていることを特徴とする請求項１または２に記載の発光パネル式照明器具。
【発明の詳細な説明】
【技術分野】
【０００１】
本発明は、発光パネル式照明器具に関するものである。
【背景技術】
【０００２】
従来、図４に示すような、基板２０の上に、第１電極３０、有機ＥＬ層である発光層４０、および第２電極５０が積層された発光素子１００が知られている（例えば、特許文献１参照）。このような発光素子１００では、基板２０が透明なガラス等で構成され、第１電極３０がＩＴＯ（Indium Tin Oxide）等で構成され、第２電極５０がＡｌ−Ｌｉ等で構成されていて、基板２０側から光が放射されるようになっている。
【特許文献１】特開２０００−８２８０７号公報
【発明の開示】
【発明が解決しようとする課題】
【０００３】
近年では、上記のような発光素子を照明器具の光源として用いたいわゆる発光パネル式照明器具が開発されつつある。このような発光パネル式照明器具においては、赤外線を放射する手元操作手段と、この手元操作手段から放射された赤外線を受信する赤外線受信部とを設けて、例えば照明器具の点灯・消灯や明るさの調整等を手元操作手段で操作できるようにすることが望まれる。
【０００４】
ここで、赤外線受信部を発光パネル式照明器具の近傍に配置すると、赤外線受信部が目立って外観上好ましくないため、赤外線受信部を発光パネル式照明器具に組み込むことが考えられる。しかし、第２電極５０は、Ａｌ−Ｌｉ等で構成されていて、赤外線を通さないため、第１電極３０、発光層４０、および第２電極５０を切り欠いて、その切り欠いた部分から露出する基板２０上に赤外線受信部を配置する必要がある。
【０００５】
しかしながら、このようにすると、発光面積が減少することになり、照明器具の発光効率の観点から好ましくない。
【０００６】
本発明は、このような事情に鑑み、良好な外観を保ったままで、かつ、発光面積を減少させることなく赤外線受信部を設けることができる発光パネル式照明器具を提供することを目的とする。
【課題を解決するための手段】
【０００７】
上述の目的を達成するために、請求項１に記載の発光パネル式照明器具は、基板の上に、第１電極、発光層、および第２電極が積層されて、基板側から光が放射される発光パネル式照明器具であって、手操作されることにより操作信号を乗せた赤外線を放射する手元操作手段と、この手元操作手段から放射された赤外線を受信する赤外線受信部と、この赤外線受信部が受信した赤外線の操作信号に応じて第１電極と第２電極との間の通電を制御する制御部とを備え、第２電極は、透光性のある材料で構成されていて、第２電極の発光層と反対側には、前記発光層から第２電極側に放射される可視光線を反射する反射材が配設されており、前記反射材は、少なくとも一部が赤外線を透過可能となるように構成されていて、この反射材の赤外線を透過可能な部分の上に前記赤外線受信部が設けられていることを特徴とするものである。
【０００８】
また、請求項２に記載の発光パネル式照明器具は、請求項１に記載の発光パネル式照明器具において、前記反射材は、全体が赤外線を透過可能となるように構成されていることを特徴とするものである。
【０００９】
例えば、請求項３に記載の発光パネル式照明器具のように、請求項１または２に記載の発光パネル式照明器具において、前記反射材は、貫通穴が形成された反射板と、この反射板の貫通穴内に配設される反射フィルタとを有していて、少なくともこの反射フィルタが赤外線を透過可能に構成されており、この反射フィルタの上に前記赤外線受信部が設けられている構成を採用することができる。
【発明の効果】
【００１０】
請求項１に記載の発光パネル式照明器具によれば、手元操作手段から放射された赤外線が赤外線受信部で受信され、この赤外線の操作信号に応じて第１電極と第２電極との間の通電が制御部によって制御されるようになっているので、例えば照明器具の点灯・消灯や明るさの調整等を手元操作手段で操作できるようになる。しかも、第２電極を透光性のある材料で構成するとともに、第２電極の発光層と反対側に配設される反射材を少なくとも一部が赤外線を透過可能となるように構成し、この反射材の赤外線を透過可能な部分の上に赤外線受信部を設けたから、赤外線受信部は、反射材で隠れて基板側から見えなくなるとともに、手元操作手段から放射された赤外線は、基板、第１電極、発光層、第２電極、および反射材を透過して赤外線受信部に到達するようになる。従って、良好な外観を保ったままで、かつ、発光面積を減少させることなく赤外線受信部を設けることができる。また、発光層から第２電極側に放射される可視光線は、反射材で全反射されて基板側から放射されるようになるため、照明としての輝度を低下させることもない。
【００１１】
請求項２に記載の発光パネル式照明器具によれば、反射材を全体が赤外線を透過可能となるように構成したから、発光層で生じる熱が反射材を透過して大気中に放散されるようになるため、発光層の温度上昇を抑制することができる。
【発明を実施するための最良の形態】
【００１２】
以下、本発明を実施するための最良の形態について、図面を参照しながら詳細に説明する。
【００１３】
図１および図２に、本発明の一実施形態に係る発光パネル式照明器具１Ａを示す。なお、本実施形態では、図１の左右方向を左右方向、図１の上下方向を上下方向として説明する。
【００１４】
発光パネル式照明器具１Ａは、基板２と、この基板２の上面に積層される、第１電極３、発光層４、および第２電極５と、第２電極５の上に積層される封止層６とを備えている。
【００１５】
基板２は、例えばガラス等の透明ないわゆる透光性のある材料で構成されていて、平面視で例えば一辺が３０ｃｍの正方形状をなしている。なお、基板２の形状は、平面視で正方形状である必要はなく、例えば長方形状、多角形状、円形状等であってもよい。
【００１６】
第１電極３は、陽極となるものであり、透光性のある材料で構成されていて、基板２の上面の右端部を残した領域に設けられている。この第１電極３は、例えばＩＴＯ（Indium Tin Oxide）等を基板２に蒸着することにより形成することができる。
【００１７】
発光層４は、第１電極３の左端部を残して第１電極３を上方から覆うように設けられている。すなわち、第１電極３の左端部は、発光層４よりも左方に張り出しており、陽極端子部３１となっている。
【００１８】
発光層４は、蛍光物質の有機材料又は蛍光物質を含む有機材料からなる発光層を少なくとも含んで構成され、必要に応じて、正孔注入層、正孔輸送層、電子輸送層および電子注入層等を備える。より具体的には、第１電極３および第２電極５も記載すると、例えば以下の層構造である。
（１）（第１電極３；陽極）／発光層／（第２電極５；陰極）
（２）（第１電極３；陽極）／正孔輸送層／発光層／（第２電極５；陰極）
（３）（第１電極３；陽極）／発光層／電子輸送層／（第２電極５；陰極）
（４）（第１電極３；陽極）／正孔輸送層／発光層／電子輸送層／（第２電極５；陰極）
（５）（第１電極３；陽極）／正孔注入層／正孔輸送層／発光層／電子輸送層／電子注入層／（第２電極５；陰極）
第２電極５は、陰極となるものであり、透光性のある材料で構成されていて、発光層４および基板２の上面の右端部を連続して上方から覆うように設けられている。この第２電極５は、例えばＩＴＯ（Indium Tin Oxide）等を発光層４および基板２に蒸着することにより形成することができる。そして、第２電極５における基板２の上面の右端部に接する部分が陰極端子部５１となっている。
【００１９】
なお、第１電極３と第２電極５は、共に同一の材料で構成されているので、第１電極３が陰極、第２電極５が陽極となっていてもよい。
【００２０】
封止層６は、第１電極３の陽極端子部３１を除く部分、発光層４、および第２電極５の陰極端子部５１を除く部分を基板２と協同して気密に封止するためのものであり、例えばガラス等の透光性のある材料で構成されている。具体的には、封止層６は、第２電極５の上面を覆う天井壁６１と、この天井壁６１の周縁部から垂れ下がる周壁６２とを有している。そして、周壁６２は、陽極端子部３１および陰極端子部５１を回避して基板２に接触しており、これにより、第１電極３の陽極端子部３１を除く部分、発光層４、および第２電極５の陰極端子部５１を除く部分が基板２と封止層６により気密に封止されている。なお、封止層６の天井壁６１と周壁６２とは、別々の材料で構成されていてもよく、例えば天井壁６１をガラス板、周壁６２を樹脂で構成してもよい。
【００２１】
また、陽極端子部３１および陰極端子部５１の封止層１６から外側に露出する部分には、クロムめっきが施され、接続用導体としてのめっき層１１，１２が形成されている。
【００２２】
さらに、発光パネル式照明器具１Ａは、封止層６の上面に接合されることにより、第２電極５の発光層４と反対側に配設される反射材７と、赤外線を放射する手元操作手段９と、この手元操作手段９から放射された赤外線を受信する赤外線受信部８と、この赤外線受信部８に接続された制御部１３とを備えている。なお、図１では、赤外線受信部８を省略している。
【００２３】
反射材７は、封止層６の上面と略同じ大きさを有し、その略中央に貫通穴７１ａが形成された反射板７１と、この反射板７１の貫通穴７１ａ内に配設される反射フィルタ７２とを有している。
【００２４】
反射板７１は、可視光線は反射するが赤外線は透過可能ないわゆるコールドミラーと呼ばれるものである。また、貫通穴７１ａは、平面視で例えば一辺が２ｃｍの正方形状をなしている。
【００２５】
反射フィルタ７２は、貫通穴７１ａ内に隙間なく嵌り込む大きさに形成された干渉フィルタ（日本真空光学社製）であり、可視光線は反射するが、赤外線は透過可能なものである。具体的には、反射フィルタ７２は、波長が９５０〜１０００ｎｍの範囲内にある電磁波に対して透過率が最大となっており、波長が８８０ｎｍ以下の電磁波を略１００％透過させないような透過率特性を有している。
【００２６】
換言すれば、反射材７の全体が可視光線を反射するとともに赤外線を透過可能となっている。そして、発光層４から第２電極側に放射される可視光線は、図２中に矢印ａで示すように、反射材７で全反射されて、基板２側から放射されるようになる。
【００２７】
赤外線受信部８は、反射板７１の貫通穴７１ａ内で反射フィルタ７２の上に設けられている。図２中に矢印ｂで示すように、可視光線は、反射板７１および反射フィルタ７２で反射されるため、赤外線受信部８は、基板２側から見えなくなっている。
【００２８】
手元操作手段９は、いわゆるリモートコントローラであり、手操作されることにより例えば点灯・消灯や明るさ調整等の各種の操作信号を乗せた赤外線を放射するものである。
【００２９】
制御部１３は、図略の点灯回路を有しているとともに、めっき層１１，１２を介して陽極端子部３１および陰極端子部５１に接続されており、赤外線受信部８が受信した赤外線の操作信号に応じて第１電極３と第２電極５との間の通電を制御するものである。
【００３０】
次に、本実施形態の発光パネル式照明器具１Ａの操作要領を説明する。
【００３１】
使用者が手元操作手段９を基板２の略中央に向けて手操作すると、図２中の矢印ｃで示すように、手元操作手段９から操作信号を乗せた赤外線が放射され、この手元操作手段９から放射された赤外線が、基板２、第１電極３、発光層４、第２電極５、封止層６、および反射フィルタ７２を透過して赤外線受信部８に到達する。これにより、第１電極３と第２電極５との間の通電が制御部１３によって制御されるため、使用者は、照明器具の点灯・消灯や明るさの調整等を手元操作手段９で操作することができる。
【００３２】
本実施形態の発光パネル式照明器具１Ａでは、第２電極５を透光性のある材料で構成するとともに、第２電極５の発光層４と反対側に赤外線を透過可能な反射材７を配設し、この反射材７の上に赤外線受信部８を設けたから、赤外線受信部８が反射材７で隠れて基板２側から見えなくなるとともに、手元操作手段９から放射された赤外線は、基板２等を透過して赤外線受信部８に到達するようになる。従って、良好な外観を保ったままで、かつ、発光面積を減少させることなく赤外線受信部８を設けることができる。また、発光層４から第２電極５側に放射される可視光線は、反射材７で全反射されて基板２側から放射されるため、照明としての輝度を低下させることもない。
【００３３】
ここで、反射フィルタ７２を設けることなく、赤外線受信部８を封止層６の上面に直接設けることも考えられるが、このようにすると、発光層４が発光していないときに、赤外線受信部８が透けて見えるようになる。これに対し、本実施形態では、反射フィルタ７２の上に赤外線受信部８を設けているので、照明器具の消灯時でも赤外線受信部８が透けて見えることがなく、消灯時における美観をも保つことができる。
【００３４】
なお、反射材７は、少なくとも一部が赤外線を透過可能となるように構成されていて、この反射材７の赤外線を透過可能な部分の上に赤外線受信部８が設けられていればよく、例えば反射板７１が赤外線を透過可能となっている必要はない。ただし、本実施形態のように、反射板７１が赤外線を透過可能となっていて、反射材７の全体が赤外線を透過可能となっていれば、図２中の矢印ｄで示すように、発光層４で生じる熱が反射材７を透過して大気中に放散されるようになるため、発光層４の温度上昇を抑制することができる。
【００３５】
また、図３に示す変形例の発光パネル式照明器具１Ｂのように、反射材７は、反射フィルタ７２のみで構成されていてもよい。
【００３６】
さらには、図示は省略するが、例えば薄膜のフィルタに対して、その中央にマスクをしてＡｌ等を蒸着した後に、マスクを除去して、そのマスクを除去した部分に光学多層膜を順次積層することにより、中央部に赤外線を透過可能な部分を有した反射材７を構成することも可能である。
【００３７】
また、反射材７を直接第２電極５の上面に接合するとともに、反射材７の周縁部と基板２との間を樹脂等で埋めることにより、封止層６を省略することも可能である。
【図面の簡単な説明】
【００３８】
【図１】本発明の一実施形態に係る発光パネル式照明器具の模式的な斜視図である。
【図２】発光パネル式照明器具の構成図である。
【図３】変形例の発光パネル式照明器具の構成図である。
【図４】従来の発光素子の構成図である。
【符号の説明】
【００３９】
１Ａ，１Ｂ  発光パネル式照明器具
２    基板
３    第１電極
４    発光層
５    第２電極
７    反射材
７１  反射板
７１ａ  穴
７２  反射フィルタ
８    赤外線受信部
９    手元操作手段
１３  制御部
【図１】
0004609374.tif 000002
【図２】
0004609374.tif 000003
【図３】
0004609374.tif 000004
【図４】
0004609374.tif 000005